(57)【要約】【課題】手提げ袋の使用時にはアップリケとして手提げ袋を装飾して手提げ袋のファッション性を高めると同時に、手提げ袋の不使用時に、アップリケ自体が手提げ袋の収納用ポーチとして使用可能な、装飾性と機能性の両方を有するアップリケ提供する。【解決手段】手提げ袋の側面に貼設されてこの手提げ袋を装飾するアップリケであって、装飾性を有する上布２と、この上布２の縁部に縫着されるファスナー４のエレメント５を具備するテープ６とを有するアップリケ１ａによる。【選択図】  図１
0003137900.tif 000002
【実用新案登録請求の範囲】
【請求項１】
手提げ袋の側面に貼設されて前記手提げ袋を装飾するアップリケであって、
装飾性を有する上布と、
この上布の縁部に縫着されるファスナーのエレメントを具備するテープとを有することを特徴とするアップリケ。
【請求項２】
前記上布の平面形状は線対称であり、
前記ファスナーのエレメントを嵌合させると前記上布の対応する辺が閉合されることを特徴とする請求項１記載のアップリケ。
【請求項３】
前記アップリケは、前記上布の裏面側に前記ファスナーのスライダーを収納する収納部を備えることを特徴とする請求項１又は請求項２に記載のアップリケ。
【請求項４】
手提げ袋の側面に貼設されて前記手提げ袋を装飾するアップリケであって、
装飾性を有する上布と、
この上布の外縁を被覆しながら設けられるガマ口用口金とを有することを特徴とするアップリケ。
【請求項５】
前記上布の平面形状は線対称であり、
前記ガマ口用口金の回動軸を基線として前記上布を二つ折りにすると、前記上布の対応する辺が閉合されることを特徴とする請求項４記載のアップリケ。
【請求項６】
前記上布は、この上布の裏面を被覆する融着材を備えることを特徴とする請求項１乃至請求項５のいずれか１項記載のアップリケ。  
【請求項７】
側面を備える袋本体と、この袋本体を提げるための把持部とを有する手提げ袋であって、
前記側面に請求項１乃至請求項３のいずれか１項記載のアップリケを備え、
前記袋本体と把持部を前記上布の裏面上に折り畳み、
前記ファスナーのエレメントを嵌合させ、
前記上布を外皮として前記袋本体と把持部を収納可能であることを特徴とする手提げ袋。
【請求項８】
側面を備える袋本体と、この袋本体を提げるための把持部とを有する手提げ袋であって、
前記側面に請求項４又は至請求項５に記載のアップリケを備え、
前記袋本体と把持部を前記上布の裏面上に折り畳み、
前記ガマ口用口金を閉合させ、
前記上布を外皮として前記袋本体と把持部を収納可能であることを特徴とする手提げ袋。
【考案の詳細な説明】
【技術分野】
【０００１】
本考案は手提げ袋の側面に貼設して手提げ袋を装飾すると同時に、手提げ袋を使用しない場合には二つ折りにされたアップリケの裏面側に手提げ袋を収納可能なアップリケに関する。
【０００２】
近年環境問題への関心の高まりから、スーパー等において消費者に配布されるプラスチック製バッグ（レジ袋）の量を減らすための取り組みが注目されており、消費者が購入品を収容するための手提げ袋を持参する動きが広まっている。
このような消費者が持参する手提げ袋は、通常、購入品の収納にのみ用いられる場合が多く、不使用時には折り畳んで手持ちのハンドバッグ等の中に入れて携行するのであるが、その際、ハンドバッグ内で折り畳んだ手提げ袋が広がってしまい、ハンドバッグ内が散らかった状態になってしまうという不具合があった。
このような課題に対処する目的で、不使用時にはコンパクトに収納することができる手提げ袋に関する考案がいくつか開示されている。
【０００３】
特許文献１には、「手提げ袋」という名称で、折り畳んだ際に持ち運びを容易にする手提げ袋に関する考案が開示されている。
特許文献１に係る考案は、不使用時には折り畳んで持ち運ぶことができる不織布製の手提げ袋であって、両端部に一対の止着手段を有する不織布製の外袋体を袋本体外面に融着してなり、この外袋体２は手提げ袋の使用時には止着手段を開放し、同手提げ袋の不使用時にはこの外袋体２を自身の口部を塞ぐように巻回して止着手段を閉じることにより環状に折り畳み固定可能とし、環状の外袋体で袋本体の折り畳んだ状態を維持することを特徴とするものである。
上記構成の考案によれば、袋本体を折り畳んだ状態で保持することができるという効果を有する。また、折畳んだ状態の袋本体の保持に用いる外袋体(簡易ポケット)が袋本体と一体に構成されているため、外袋体(簡易ポケット)を紛失する恐れがないという効果を有する。
【０００４】
また、特許文献２には「スーパーマーケット専用のショッピングバッグ」という名称で、殊更スーパーマーケットの店内買物篭（通称−セルフ篭）に収納した商品を、その会計カウンターでの金銭支払い時に直接移し入れて持ち帰ることができ、しかも不使用時には小型扁平な定形の折りたたみ状態を保てる手提げ袋に関する考案が開示されている。
特許文献２に開示される考案は、可撓な生地材料からスーパーマーケットの店内買物篭にフィットするほぼ直方体型として造形したバッグ本体の底面に、前後一対の保形芯を封入して、この両保形芯の境界線（中心線）から半折り状態に扁平化でき、且つその半折り状態を上記底面の周辺部に取り付けたファスナーの閉合操作によって、固定維持し得るように定めると共に、上記バッグ本体の両長辺には向かい合う一対の携帯ベルトを、同じく両短辺には長さの調整可能なフック付き商品規制ベルトと、そのフックと係脱自在に係止する係止環とを各々取り付けたことを特徴とするものである。
上記構成の考案によれば、不使用時に、手提げ袋の底面の半分の大きさに扁平に折り畳んで携帯することができるという効果を有する。
この結果、女性が携帯するトートバッグなどの内部に、特許文献２に係るショッピングバッグを整然と収納することができ、勤務の帰宅途中にスーパーマーケットへ立ち寄って買物をした場合に、購入品を速やかに収容することができて便利である。
【０００５】
【特許文献１】実登３０７６９６４号公報
【特許文献２】実登３０４９７３３号公報
【考案の開示】
【考案が解決しようとする課題】
【０００６】
しかしながら、上述の特許文献１に開示された手提げ袋は、手提げ袋を使用する際に、外袋体の端部を係止する面ファスナーが裸出した状態となる。
このため、たとえ外袋体を装飾性の高い布地で構成した場合であっても、手提げ袋の美観が損なわれてしまうという課題があった。
さらに、特許文献１に係る手提げ袋を使用者が衣服に接触させながら携行する場合、裸出した面ファスナーが衣服と接触して衣服にほつれや糸引きを生じさせてしまう恐れがあった。
【０００７】
特許文献２に記載のショッピングバッグは、扁平な形状に折り畳んで携帯することができるものの、ショッピングバッグの使用時にファスナーのエレメントが、ショッピングバッグの底面の外縁において外側に突出するように配置されるため、殊更スーパーマーケットの店内買物篭の内側側面にファスナーのエレメントが都度接触して破損し易いという課題があった。
また、特許文献２に記載のショッピングバッグは、使用時にファスナーのエレメントがニット生地にほつれを生じさせてしまう可能性があり、使用に際しては注意を要するという課題があった。
さらに、特許文献２に記載のショッピングバッグのバッグ本体を装飾性の高い布地等により構成にした場合、手提げ袋の底面部に設けられるため汚れ易く、携帯時の美観が損なわれる可能性が高かった。
【課題を解決するための手段】
【０００８】
本考案は係る従来の事情に対処してなされたものであり、手提げ袋の使用時にはアップリケとして手提げ袋を装飾して手提げ袋のファッション性を高めると同時に、手提げ袋の不使用時に、アップリケ自体が手提げ袋の収納用ポーチとして使用可能な、装飾性と機能性の両方を有するアップリケ及びそれを用いた手提げ袋を提供することにある。
【０００９】
上記目的を達成するため、請求項１記載の考案であるアップリケは、手提げ袋の側面に貼設されて手提げ袋を装飾するアップリケであって、装飾性を有する上布と、この上布の縁部に縫着されるファスナーのエレメントを具備するテープとを有することを特徴とするものである。
上記構成のアップリケにおいて、上布は手提げ袋の側面を装飾して審美性を高めるという作用を有する。また、ファスナーは上布の縁部を閉合させるという作用を有する。
さらに、ファスナーのテープは、上布の外縁を囲うように配置されて、上布を視覚的に引き立たせるという作用を有する。
【００１０】
請求項２に記載の考案であるアップリケは、請求項１記載のアップリケであって、上布の平面形状は線対称であり、ファスナーのエレメントを嵌合させると上布の対応する辺が閉合されることを特徴とするものである。
上記構成のアップリケは、請求項１記載の考案と同様の作用に加え、上布の平面形状が線対称であるため、上布の対称中心を基線に二つ折りにして対応する辺をファスナーで閉合させることでアップリケをポーチ状に変形させるという作用を有する。
つまり、請求項１記載の考案は、アップリケの平面形状の１／２のサイズのポーチ状の袋体を形成させるという作用を有する。
【００１１】
請求項３に記載の考案であるアップリケは、請求項１又は請求項２に記載のアップリケであって、アップリケは、上布の裏面側にファスナーのスライダーを収納する収納部を備えることを特徴とするものである。
上記構成のアップリケは、請求項１又は請求項２に記載の考案と同様の作用に加え、収納部は、請求項３に記載のアップリケが手提げ袋の側面に貼設された際に、ファスナーのスライダーを上布の裏面側に収容させるという作用を有する。
【００１２】
請求項４に記載の考案であるアップリケは、手提げ袋の側面に貼設されて手提げ袋を装飾するアップリケであって、装飾性を有する上布と、この上布の外縁を被覆しながら設けられるガマ口用口金とを有することを特徴とするものである。
上記構成のアップリケにおいて、上布は手提げ袋の側面を装飾して審美性を高めるという作用を有する。また、ガマ口用口金は上布の縁部を閉合させるという作用を有する。
さらに、ガマ口用口金は、上布の外縁を囲うように配置されて、上布を視覚的に引き立たせるという作用を有する。
【００１３】
請求項５に記載の考案であるアップリケは、請求項４記載のアップリケであって、上布の平面形状は線対称であり、ガマ口用口金の回動軸を基線として上布を二つ折りにすると、上布の対応する辺が閉合されることを特徴とするものである。
上記構成のアップリケは、請求項４記載の考案と同様の作用に加え、上布の平面形状が線対称であるため、ガマ口用口金の回動軸を基線に二つ折りにして対応する辺を閉合させることでアップリケをポーチ状に変形させるという作用を有する。
つまり、請求項４記載の考案は、アップリケの平面形状の１／２のサイズのポーチ状の袋体を形成させるという作用を有する。
【００１４】
請求項６に記載の考案であるアップリケは、請求項１乃至請求項５のいずれか１項記載のアップリケであって、上布は、この上布の裏面を被覆する融着材を備えることを特徴とするものである。
上記構成のアップリケは、請求項１乃至請求項５のそれぞれに記載される発明と同様の作用に加え、融着材は、上布の上面側から熱が加えられた際に一旦融解し、その後空冷されることで上布を手提げ袋の側面に接着させるという作用を有する。
また、この融着材は上布の強度及び形状保持性を補うという作用も有する。
【００１５】
請求項７に記載の考案である手提げ袋は、側面を備える袋本体と、この袋本体を提げるための把持部とを有する手提げ袋であって、側面に請求項１乃至請求項３のいずれか１項記載のアップリケを備え、袋本体と把持部を上布の裏面上に折り畳み、ファスナーのエレメントを嵌合させ、上布を外皮として袋本体と把持部を収納可能であることを特徴とするものである。
上記構成の手提げ袋は、側面に請求項１乃至請求項３のいずれか１項記載のアップリケを備えるものであり、請求項１乃至請求項３に記載のそれぞれの考案と同様の作用を有する。
また、請求項７に記載の考案において、アップリケは、その縁部が閉合されて形成されるポーチ状の袋体内に、手提げ袋を折り畳んだ状態で収容させるという作用を有する。
また、請求項７に記載の考案において、特に上布の外縁にファスナーのテープを有する場合、ファスナーのエレメントの鉤状部分を手提げ袋の側面に対向させた状態で固定させるという作用を有する。
【００１６】
請求項８に記載の考案である手提げ袋は、側面を備える袋本体と、この袋本体を提げるための把持部とを有する手提げ袋であって、側面に請求項４又は至請求項５に記載のアップリケを備え、袋本体と把持部を上布の裏面上に折り畳み、ガマ口用口金を閉合させ、上布を外皮として袋本体と把持部を収納可能であることを特徴とするものである。
上記構成の手提げ袋は、側面に請求項４又は請求項５に記載のアップリケを備えるものであり、請求項４又は請求項５に記載の考案と同様の作用を有する。
また、請求項８に記載の考案において、アップリケは、その縁部であるガマ口用口金が閉合されて形成されるポーチ状の袋体内に、手提げ袋を折り畳んだ状態で収容させるという作用を有する。
【考案の効果】
【００１７】
以上説明したように、請求項１に記載のアップリケによれば、上布が手提げ袋の側面を装飾して手提げ袋自体の審美性を高めることができるという効果を有する。
また、請求項１に記載のアップリケは、その外縁がファスナーのエレメントを有するテープで縁取られているので、上布の質感や模様が強調されて貼設対象である手提げ袋の審美性を一層高めることができるという効果を有する。
【００１８】
請求項２記載のアップリケは、請求項１記載の考案の効果と同様の効果に加え、上布の平面形状が線対称であるため、上布を、対称中心を基線に二つ折りにして対応する辺々をファスナーで閉合させることで、アップリケをアップリケの平面形状の１／２の大きさを有するポーチ状に変形させることができるという効果を有する。
よって、この結果請求項２記載のアップリケは、このアップリケが変形されてなるポーチ状の袋体内に、貼設対象である手提げ袋を収容することができるという効果を有する。
また、装飾性と機能性を同時に備えたアップリケを提供することができるという効果を有する。
この結果、手提げ袋の装飾性と利便性を容易に向上させることができるという効果を有する。
【００１９】
請求項３記載のアップリケは、請求項１又は請求項２に記載の考案の効果と同様の効果に加え、請求項３記載のアップリケを手提げ袋に貼設した際に、ファスナーのスライダーを収納部に収納することができるという効果を有する。
この結果、手提げ袋の使用時にファスナーのスライダーが外部から見えないので、アップリケ及び手提げ袋の審美性を一層高めることができるという効果を有する。
また、手提げ袋の使用時に、ファスナーのスライダーが衣服等に接触して損傷させるおそれを低減するという効果を有する。
【００２０】
請求項４記載のアップリケによれば、上布が手提げ袋の側面を装飾して手提げ袋自体の審美性を高めることができるという効果を有する。
また、請求項４に記載のアップリケは、その外縁がガマ口用口金で縁取られているので、上布の質感や模様が強調されて貼設対象である手提げ袋の審美性を一層高めることができるという効果を有する。
【００２１】
請求項５記載のアップリケは、請求項４記載のアップリケと同様の効果に加えて、上布の平面形状が線対称であるため、上布を、ガマ口用口金の回動軸を基線に二つ折りにして対応する辺々を閉合させることで、アップリケをアップリケの平面形状の１／２の大きさを有するポーチ状に変形させることができるという効果を有する。
よって、この結果請求項５記載のアップリケは、このアップリケが変形されてなるポーチ状の袋体内に、貼設対象である手提げ袋を収容することができるという効果を有する。
また、装飾性と機能性を同時に備えたアップリケを提供することができるという効果を有する。
この結果、手提げ袋の装飾性と利便性を容易に向上させることができるという効果を有する。
【００２２】
請求項６記載のアップリケは、請求項１乃至請求項５記載のそれぞれのアップリケの効果に加えて、上布の裏面に融着材を備えることで、アップリケを手提げ袋の側面にアイロンで容易に貼設することができるという効果を有する。
この結果、手提げ袋の装飾にかかる手間と時間を節減できるという効果を有する。
また融着材は、請求項１乃至請求項５記載のそれぞれのアップリケを補強して耐久性を向上させるという効果を有する。
【００２３】
請求項７記載の手提げ袋は、請求項１乃至請求項３記載のいずれかのアップリケを備えるものであり、請求項１乃至請求項３記載の考案と同様の効果に加え、このアップリケをポーチ状に変形して、その内部に手提げ袋を折り畳んだ状態で収納することができるという効果を有する。
この結果、請求項７に係る手提げ袋を、審美性を高めた状態で携行することができると同時に、携行時に請求項７に係る手提げ袋が嵩張るのを防止することができるという効果も有する。
【００２４】
請求項８記載の手提げ袋は、請求項４又は請求項５記載のいずれかのアップリケを備えるものであり、請求項４又は請求項５記載の考案と同様の効果に加え、このアップリケをポーチ状に変形して、その内部に手提げ袋を折り畳んだ状態で収納することができるという効果を有する。
この結果、請求項８に係る手提げ袋を、審美性を高めた状態で携行することができると同時に、携行時に請求項８に係る手提げ袋が嵩張るのを防止することができるという効果も有する。
【考案を実施するための最良の形態】
【００２５】
まず、本考案の第１の実施の形態に係るアップリケを図１及び図２を参照しながら詳細に説明する。
【実施例１】
【００２６】
図１（ａ）は本考案の実施例１に係るアップリケの表面図であり、（ｂ）はその裏面図である。また、（ｃ）は実施例１に係るアップリケのＤ−Ｄ線矢視断面図である。
図１（ａ）〜（ｃ）に示すように、実施例１に係るアップリケ１ａは、装飾性を有する上布２の外縁に、ファスナー４のエレメント５を有するテープ６が縫着されたものであり、この上布２の裏面２ｂを図示しない手提げ袋の側面に貼設することで、手提げ袋を装飾してその審美性を向上させることができるという効果を有する。
上布２として、その表面２ａに例えば柄３を有する布地や、上布２自体を、皮革、織物、編み物、不織布、フェルト等のような手提げ袋を構成する布地と異なる材質又は同質の素材でかつ色や柄の違う平面材を用いることで、アップリケ１ａによる手提げ袋の装飾性を一層向上させることができるという効果を有する。
なお、本願明細書中に記載される上布２の装飾性とは、上布２を構成する材質の質感や形状、模様若しくは色彩又はこれらの結合により、視覚を通じて被装飾対象の美感（審美性）や、デザイン性を高めることができる性能、機能あるいは特性を意味している。
【００２７】
また、図１（ａ）,（ｂ）に示すように、アップリケ１ａを平面状に広げた状態にした場合に、ファスナー４のスライダー９が配置される場所に、縫目７を凹状に形成してなる収納部８を設けても良い。
この場合、図１（ａ）,（ｂ）中の符号Ａで示す方向にスライダー９を移動させた場合に、上布２において縫目７が凹状に形成された収納部８に、すなわち、上布２の裏面２ｂ側にスライダー９を収納することができるという効果を有する。
さらに、実施例１に係るアップリケ１ａは、例えば、円、多角形、その他任意の曲線又は直線又は直線と曲線の組み合わせからなる平面形状が線対称であることが望ましい。
このように、実施例１に係るアップリケ１ａの平面形状を線対称とすることで、図１（ａ）,（ｂ）中のＢ−Ｂ線で示すアップリケ１ａの対称中心を基線に、上布２の裏面２ｂを重ね合わせるようにして折り畳むことで、すなわち、図１（ｂ）中の符号Ｃで示す方向にアップリケ１ａを二つ折りにすることで、実施例１に係るアップリケ１ａをポーチ状に変形させることができるという効果を有する。
【００２８】
なお、図１（ｃ）では、実施例１に係るアップリケ１ａの上布２の外縁を内側に織り込んだ状態でファスナー４のテープ６を縫着しているが、上布２の外縁がほつれる心配がなければ必ずしも上布２の中心側に折り込む必要はない。
また、図１（ｃ）に示すように、実施例１に係るアップリケ１ａは、手提げ袋の側面に貼設した際に、ファスナー４のエレメント５の鉤部が手提げ袋の側面（表面）と対向するように配置されるため（後述の図３,図６を参照）、アップリケ１ａを貼設した側を衣服に接触させながら手提げ袋持った場合でもファスナー４のエレメント５により衣服にほつれや糸引き等の不具合が生じる心配がない。
従って、実施例１によれば、高い装飾性と利便性とを兼ね備えたアップリケを提供することができるという効果を有する。
また、実施例１に係るアップリケ１ａの上布２と手提げ袋の側面のとの間に、平板状の綿材であるキルト芯等を挿入した後、上布２の表面２ａ側からキルティングすることでアップリケ１ａを手提げ袋の側面に貼設してもよい。
この場合、上布２の表面２ａに凸凹形状を形成することができ、実施例１に係るアップリケ１ａによる装飾性を一層高めることができるという効果を有する。
【００２９】
図２（ａ）は本考案の変形例に係るアップリケの表面図であり、（ｂ）はその裏面図である。また、（ｃ）は変形例に係るアップリケのＥ−Ｅ線矢視断面図である。なお、図１に記載されたものと同一部分については同一符号を付し、その構成についての説明は省略する。
図２（ａ）〜（ｃ）に示すように、変形例に係るアップリケ１ｂは、上述の実施例１に係るアップリケ１ａと同一の構成に加え、上布２の裏面２ｂに融着材１０を備えることを特徴とするものである。
この融着材１０は、平板状の布又は不織布の両面側に融着剤が塗布された、いわゆる接着芯であり、この融着剤は、例えばアイロンの中から高温域で容易に融解し、その後空冷されることで固化することが望ましい。なお、融着材１０は必ずしも接着芯に限定さえるものではなく、熱によって融解しその後空冷されて固化することにより接着するという機能を有するものであれば、接着芯以外のものでもよい。
そして、このような融着材１０は、手提げ袋の側面に変形例に係るアップリケ１ｂを接着するという作用を有する。
従って、融着材１０を備えることによれば、変形例に係るアップリケ１ｂを、アイロン等を用いて容易に手提げ袋の側面に貼設することができるという効果を有する。
【００３０】
また、変形例に係るアップリケ１ｂにおいて融着材１０は、上布２の裏面２ｂに、ファスナー４のテープ６を介して縫着されているが、必ずしもこの方法で上布２の裏面２ｂに配設する必要はなく、たとえば、水溶性の糊で実施例１に係るアップリケ１ａの裏面に仮接着させておいてもよい。
これは、上述のような融着材１０の融着作用により、被融着物へのアップリケ１ｂ接着と、融着材１０と上布２の接着を同時行うことができるためである。
また、変形例に係るアップリケ１ｂをより強固に手提げ袋の側面に取り付ける必要がある場合には、手提げ袋の側面に変形例に係るアップリケ１ｂを融着した後に、上布２の表面２ａ側からアップリケ１ｂと手提げ袋を縫着することが望ましい。
なお、変形例に係るアップリケ１ｂにキルト芯を使用する場合には、上布２と融着材１０との間にキルト芯を挿入することが望ましい。
【００３１】
このように、実施例１に係るアップリケ１ａ及び、その変形例に係るアップリケ１ｂによれば、使用者は手提げ袋の側面の所望の位置にアップリケ１ａ又はアップリケ１ｂを貼設して手提げ袋を装飾することで手提げ袋の審美性を高めることができると同時に、アップリケ１ａ又はアップリケ１ｂを、対称線を基線に二つ折りにしてポーチ状に変形させて、その内部に手提げ袋を収容することができるという効果を有するものである。
言い換えると、使用者は手持ちの装飾性の乏しい手提げ袋に、本考案に係るアップリケ１ａを貼設するだけで、ファッション性が高くかつ不使用時には手提げ袋をコンパクトに収納でき、しかも、収納時の手提げ袋の外観もファッション性が高い手提げ袋を容易に入手できるという効果を有する。
つまり、手提げ袋の装飾性のバリエーションを広げるという効果を有する。
【００３２】
次に本考案の第２の実施の形態に係る手提げ袋について図３乃至図９を参照しながら詳細に説明する。
【実施例２】
【００３３】
実施例２に係る手提げ袋は、上述の実施例１に係るアップリケを、側面を備えることを特徴とするものである。
図３は本考案の実施例２に係る手提げ袋を示す概念図である。
図３に示すように、実施例２に係る手提げ袋１１ａは、例えば平面形状が略矩形の袋本体１２と、この袋本体１２を提げるための把持部１４,１４とを有する手提げ袋の側面１３の中央下方側にアップリケ１ａを備えるものであり、袋本体１２と把持部１４,１４をアップリケ１ａの上布２の裏面上に折り畳んだ後、このアップリケ１ａに縫着されるファスナー４のエレメント５を、収納部８に収容されるスライダー９により嵌合させて、アップリケ１ａの上布２を外皮とするポーチ状の袋体内に、袋本体１２を把持部１４,１４とともに折り畳んだ状態で収納されることを特徴とするものである。
上記構成の実施例２に係る手提げ袋１１ａは、アップリケ１ａを備えることで手提げ袋１１ａの外観の審美性が高められるという効果を有する。
【００３４】
一般に手提げ袋は、衣服と同様に身体を装飾する機能を有するものであると言える。
従って、実施例２に係るアップリケ１ａの主構成要素である上布２を、２つ折にした場合にポーチ状の袋体を形成させることができるという条件を満たしながら、その材質、柄、色、形状を様々に変化させることで、袋本体１２と把持部１４,１４から構成される手提げ袋を使用者の嗜好に合った装飾性の高いものに変えることができるという効果を有する。
つまり、本考案にかかるアップリケ１ａを備えることで、本来、購入品等を収容するという最低限の機能のみを有する手提げ袋を、身体の装飾品の一部ともなる装飾性の高い手提げ袋に変えることができるという効果を有するのである。
加えて、手提げ袋１１ａを使用しない場合には、手提げ袋１１ａの袋本体１２及び把持部１４,１４は、アップリケ１ａにより形成される装飾性の高い上布２を外皮とするポーチ状の袋体内に収容して携行することができるため、装飾性の高い上布２により携行物自体の審美性をも高めることができるという効果を有する。
この結果、使用者自身が手提げ袋１１ａを使用する楽しみや、上布２を外皮とするポーチ状の袋体内に収容された手提げ袋１１ａを携行する楽しみが向上されるという効果を有する。
なお、図３では袋本体１２が略矩形である場合を例に挙げて説明したが、袋本体１２は必ずしも略矩形状である必要はなく、折り畳むことが可能であればファッション性を考慮した任意の形状であってよい。
また、図３では、袋本体１２の開口部近傍に  把持部１４,１４を設けた場合を例に挙げて説明しているが、把持部１４,１４の端部が袋本体１２の底部にまで伸び、袋本体１２の荷重を直接把持部１４,１４で支持可能に構成しても良い。
さらに、手提げ袋１１ａに貼設されるアップリケは、変形例に係るアップリケ１ｂでもよい。
【００３５】
次に図３及び図４を参照しながら、実施例２に係る手提げ袋を携行可能に収納する手順について説明する。
図４（ａ）〜（ｃ）はいずれも実施例２に係る手提げ袋が収納される様子を示す概念図である。なお、図４（ａ）,（ｂ）は本考案に係るアップリケの裏面側から見た図であり、（ｃ）は本考案に係るアップリケの表面側から見た図である。また、図１乃至図３に記載されたものと同一部分については同一符号を付し、その構成についての説明は省略する。
実施例２に係る手提げ袋を携行可能にコンパクトに収納するには、図３に示す手提げ袋１１ａにおいて、まず、アップリケ１ａの上端部を基線に上布２の裏面側に袋本体１２の上半分を折り畳む。すなわち、図３中のＦ１−Ｆ１線を基線に手提げ袋１１ａの上半分を図中の符号Ｇで示す方向に折り畳む。
次に、把持部１４,１４をアップリケ１ａの裏面２ｂ側へ折り込んでおき、続いて、図４（ａ）に示すアップリケ１ａの左右側辺部を基線に袋本体１２の左右端部をアップリケ１ａの裏面２ｂ上に折り畳む。すなわち、図４（ａ）中のＨ１−Ｈ１線及びＩ１−Ｉ１線のそれぞれを基線に、袋本体１２の左右端部を図中の符号Ｊで示す方向にそれぞれ折り畳む。
そして、図４（ｂ）に示すように、アップリケ１ａの対称中心であるＢ−Ｂ線を基線に、アップリケ１ａとその裏面上に折り畳まれる袋本体１２を２つ折りにした後、スライダー９により上布２の外縁に縫着されたファスナー４のエレメント５を嵌合させて上布２を閉合すればよい。
なお、手提げ袋１１ｂに貼設されるアップリケは、変形例に係るアップリケ１ｂでもよい。
【００３６】
この結果、実施例２に係る手提げ袋１１ａの平面形状を、図４（ｃ）に示すようにアップリケ１ａの平面形状の約１／２の大きさにまで小さくした状態で収納することができるという効果を有する。また、このようにコンパクトに収納された手提げ袋１１ａは、装飾性の高い上布２に被覆されているので、それ自体が高い審美性を有するものである。
本実施例では、手提げ袋１１ａの側面に、その手提げ袋１１ａの側面縦方向（ここでは、使用時に鉛直方向となる方向を縦方向という。）長さの略１／２の長さと、手提げ袋１１ａの側面横方向（ここでは、使用時に水平方向となる方向を横方向という。）長さの略１／２の長さを備えたアップリケを、手提げ袋１１ａの側面１３の中央下方側、すなわち、側面１３の横方向の中央部であって、側面１３の縦方向の下半分の部分に貼設することで、手提げ袋を携行可能に容易に折り畳んで収納することができ、携行時における審美性を発揮し得る。
従って、図４（ｃ）に示す状態の手提げ袋１１ａを、例えばハンドバッグの中に手提げ袋１１ａを入れて携行する場合、手提げ袋１１ａは外観上ポーチに見えるだけであり、手提げ袋を単に折り畳んでハンドバッグ内に入れた場合に比べてはるかにファッション性が高いものにすることができるという効果を有する。
しかも、携行時に例えばハンドバッグの中において手提げ袋１１ａが広がる心配もなく極めて機能的であると言える。
なお、上述の手提げ袋１１ａの折り畳み手順は、図４（ｃ）に大きさに袋本体１２が折り畳まれて収容可能であることを示すための折り畳み手順の一例であり、アップリケ１ａの裏面２ｂからはみ出さないよう袋本体１２が折り畳まれるのであれば、必ずしも上記手順に従って袋本体１２を折り畳む必要はない。
【００３７】
図５は実施例２に係る手提げ袋の変形例を示す概念図である。なお、図１乃至図４に記載されたものと同一部分については同一符号を付し、その構成についての説明は省略する。
図５に示すようにアップリケ１ａは、たとえば、袋本体１２の側面１３上において、中央で、かつ、アップリケ１ａの下辺が袋本体１２の底の近傍に配されるように貼設され、さらに、スライダー９の収納部８が袋本体１２の側縁側に配置されように貼設されても良い。
なお、図５においては、スライダー９の収納部８が紙面の左手側に配置されているが、この収納部８は紙面の右手側に配置されても良い。
この場合、特にアップリケ１ａの上辺から下辺までの距離Ｋ１が、袋本体１２の開口から底までの距離Ｋ２の１／２よりも大きい場合に、袋本体１２をアップリケ１ａの裏面上に折り畳んでアップリケ１ａにより形成される袋体の内部に収容する際に、中身の袋本体１２及び把持部１４,１４を扁平にするという効果を有する。
この結果、スライダー９によるエレメント５の嵌合をスムースにするという効果を有する。
【実施例３】
【００３８】
図６は本考案の実施例３に係る手提げ袋を示す概念図である。なお、図１乃至図４に記載されたものと同一部分については同一符号を付し、その構成についての説明は省略する。また、ここでは実施例２に係る手提げ袋１１ａとの相違点に重点をおいて説明する。
図６に示すように、実施例３に係る手提げ袋１１ｂは、実施例２に係る手提げ袋１１ａと同一の構成を有するものであるが、アップリケ１ａが袋本体１２の略中央部に貼設される点が実施例２に係る手提げ袋１１ａとは異なる。
このように、袋本体１２におけるアップリケ１ａの貼設位置が異なる場合であっても実施例３に係る手提げ袋１１ｂをアップリケ１ａの１／２の大きさにまで小さく収納できることを示す目的で、手提げ袋１１ｂが収納される折り畳み手順の一例を、図６及び図７を参照しながら説明する。
【００３９】
図７は（ａ）〜（ｃ）はいずれも実施例３に係る手提げ袋が収納される様子を示す概念図である。なお、図７（ａ）,（ｂ）は本考案に係るアップリケの裏面側から見た図であり、（ｃ）は本考案に係るアップリケの表面側から見た図である。また、図１乃至図６に記載されたものと同一部分については同一符号を付し、その構成についての説明は省略する。
実施例３に係る手提げ袋１１ｂをコンパクトに収納するには、図６に示す手提げ袋１１ｂにおいて、まず、アップリケ１ａの上端部分及び下端部分を基線に、袋本体１２の上半分を上布２の裏面２ｂ側に折り畳む。すなわち、図６中のＦ2−Ｆ2線及びＦ3−Ｆ3線を基線に手提げ袋１１ｂの上半分及び下半分を図中の符号Ｌ,Ｌで示す方向にそれぞれ折り畳む。
次に、把持部１４,１４がアップリケ１ａの裏面２ｂからはみ出さないようアップリケ１ａの中心側に折り込んでおき、続いて、図７（ａ）に示すアップリケ１ａの左右側辺部をそれぞれ基線にして、袋本体１２の左右端部をアップリケ１ａの裏面２ｂ上に折り畳む。すなわち、図７（ａ）中のＨ2−Ｈ2線及びＩ2−Ｉ2線をそれぞれを基線にして、袋本体１２の左右端部を図中の符号Ｍで示す方向にそれぞれ折り畳む。
そして、図４（ｂ）に示すアップリケ１ａの対称中心であるＢ−Ｂ線を基線に、アップリケ１ａとその裏面上に折り畳まれる袋本体１２とともに２つ折りにした後、スライダー９により上布２の外縁に縫着されたファスナー４のエレメント５を嵌合させて上布２を閉合すればよい。
【実施例４】
【００４０】
図８は本考案の実施例４に係る手提げ袋を示す概念図であり、図９は本考案の実施例４に係る手提げ袋の収納時の様子を示す概念図である。なお、図１乃至図７に記載されたものと同一部分については同一符号を付し、その構成についての説明は省略する。また、ここでは実施例３に係る手提げ袋１１ｂとの相違点に重点をおいて説明する。
実施例４に係る手提袋１１ｃは、実施例３に係る手提げ袋１１ｂの側面に設けられるアップリケ１ａにおいてファスナー４の代わりに、ガマ口用口金１５が上布２の外縁に設けられたことを特徴とするものである。
図８に示すように、実施例４に係るアップリケ１ｃは、上布２の外縁を被覆するよう、ガマ口用口金１５が設けられたものであり、このガマ口用口金１５は、上記アップリケ１ａ，１ｂと同様に、上布２をガマ口用口金１５に設けられるヒンジ１７の回動軸１８を基線に２つ折りにすることで、上布２の対応する辺々が併合されて、図９に示すような上布２を外被とするポーチ状の袋体を形成することができるという効果を有する。
そして、このガマ口用口金１５は、口金本体１６に突設される係着具１９，１９が係着することで口金本体１６，１６が折重なった状態で閉合される。
この結果、このポーチ状の袋体の内部に、手提袋１１ｃに係る袋本体１２及び把持部１４，１４を折り畳んだ状態で収納することができるという効果を有する。
また、特に図示しないが、ガマ口用口金１５に係る口金本体１６は、断面略コ字形のフレーム材から成り、その開口から上布２の外縁をフレーム材であるガマ口用口金１５の内部に収容することができるよう構成されている。
従って、ガマ口用口金１５に上布２の外縁を固定するには、たとえば、ガマ口用口金１５の内部にまず上布２の外縁を収容しておき、次いで、ガマ口用口金１５と上布２の隙間部分に、たとえば、接着剤を塗布した麻紐等を詰め込んで、上布２の外縁をガマ口用口金１５の内部に固定すればよい。
【００４１】
これ以外にも、予め口金本体１６の形状に沿って縫孔を形成しておき、上布２を口金本体１６に縫い付けてもよいし、あるいは、口金本体１６に設けた縫孔を利用して上布２が配置される部分に編地を形成して上布２としてもよい。
いずれの場合も、ガマ口用口金１５と上布２を一体に構成することができるので、ポーチ状の袋体からガマ口用口金１５が外れてしまう恐れがなく、アップリケ１ｃ及び手提袋１１ｃの耐久性をともに向上させることができるという効果を有する。
なお、実施例４に係る手提袋１１ｃを折り畳んで上布２を外被とするポーチ状の袋体に収納する手順については、実施例３に係る手提げ袋１１ｂを用いた場合の手順と同じであるためその詳細な説明については省略する。
また、実施例４に係るアップリケ１ｃは、実施例２に係る手提げ袋１１ａに設けられるアップリケ１ａと同じ位置に設けても良い。
さらに、上述のアップリケ１ｃの裏面側に、変形例に係るアップリケ１ｂのような融着材１０を設けてもよい。
この場合、変形例に係るアップリケ１ｂと同様の効果を有する。
加えて、ガマ口用口金１５の回動軸１８は、図８に示す回動軸１８と略直交するよう方向に配置されても良い。この場合、アップリケ１ｃの上布２を外被とするポーチ状の袋体に袋本体１２及び把持部１４，１４を収納する際の折り畳み手順が変わるのみで、実施例４に係る手提袋１１ｃと同様の効果が期待できる。
また、実施例４に係るアップリケ１ｃでは、ガマ口用口金１５を開いた場合の形状が矩形状である場合を例に挙げて説明したが、マ口用口金１５を開いた場合の形状は図８に示す以外の形状でも良い。この場合も、実施例４に係るアップリケ１ｃと同様の作用及び効果を有する。
この結果、実施例４に係る手提げ袋１１ｃの平面形状を、図９に示すようにアップリケ１ｃの平面形状の約１／２の大きさにまで小さくした状態で収納することができるという効果を有する。また、このようにコンパクトに収納された手提げ袋１１ｃは、装飾性の高い上布２に被覆されているので、それ自体が高い審美性を有するものである。
よって、実施例２に係る手提げ袋１１ａと同様の効果を有する。
【００４２】
なお、上述の実施例２〜４に例示した場所以外の袋本体１２の側面１３にアップリケ１ａ〜１ｃを貼設した場合であっても、アップリケ１ａ〜１ｃの裏面から袋本体１２や把持部１４,１４がはみ出さないように袋本体１２及び把持部１４,１４を折り畳むことによれば、アップリケ１ａ〜１ｃにより形成されるポーチ状の袋体の内部に手提げ袋を収納することが可能であると言える。
このとき、アップリケの左右側辺部の長さは、手提げ袋の左右側辺部の長さのそれぞれ略１／２に限定しなくともよく、その大きさは手提げ袋の側面の平面形状より小さくなればよいが、アップリケ内に折り畳んだ後のポーチ状の袋体の大きさと手提げ袋の折り畳み収納性の両方を考慮すれば、略１／２長のアップリケを用いることが望ましい。
また、本発明に係るアップリケ１ａ〜１ｃにおいて、上布２として例えば圧縮ニット等の伸縮性を有する素材を採用した場合には、上布２を外被とするポーチ状の袋体を形成した場合に、上布２が伸張して袋体の容積を大きくすることができるという効果を有する。従って、より小さいアップリケ１ａ〜１ｃを用いた場合でも手提げ袋を確実に収納することができるという効果を有する。
この場合、伸縮性を有する上布２の裏面２ｂの全面に袋本体１２の側面１３を貼設するのではなく、上布２に裏面２ｂの面積よりも小さい面積で袋本体１２と上布２を接着してもよい。この場合、上布２の伸縮性を有効に利用することが可能である。
つまり、袋本体１２と上布２とを、複数本の縫い目により縫着してもよいし、スナップボタン等を用いる等して複数の点により固定しても良い。
【産業上の利用可能性】
【００４３】
本考案に係るアップリケ及びそれを用いた手提げ袋は、主に購入品を収容するために用いられる手提げ袋の装飾性を高めながら、この手提げ袋をコンパクトなサイズで収納可能とし、かつ携行時の審美性をも高めることができるものであり、日用品や携行小物の分野において利用の可能性が高い。
【図面の簡単な説明】
【００４４】
【図１】（ａ）は本考案の実施例１に係るアップリケの表面図であり、（ｂ）はその裏面図である。また、（ｃ）は実施例１に係るアップリケのＤ−Ｄ線矢視断面図である。
【図２】（ａ）は本考案の変形例に係るアップリケの表面図であり、（ｂ）はその裏面図である。また、（ｃ）は変形例に係るアップリケのＥ−Ｅ線矢視断面図である。
【図３】本考案の実施例２に係る手提げ袋を示す概念図である。
【図４】（ａ）〜（ｃ）はいずれも実施例２に係る手提げ袋が収納される様子を示す概念図である。
【図５】実施例２に係る手提げ袋の変形例を示す概念図である。
【図６】本考案の実施例３に係る手提げ袋を示す概念図である。
【図７】（ａ）〜（ｃ）はいずれも実施例３に係る手提げ袋が収納される様子を示す概念図である。
【図８】本考案の実施例４に係る手提げ袋を示す概念図である。
【図９】本考案の実施例４に係る手提げ袋の収納時の様子を示す概念図である。
【００４５】
１ａ〜１ｃ…アップリケ  ２…上布  ２ａ…表面  ２ｂ…裏面  ３…柄  ４…ファスナー  ５…エレメント  ６…テープ  ７…縫目  ８…収納部  ９…スライダー  １０…融着材  １１ａ〜１１ｃ…手提げ袋  １２…袋本体  １３…側面  １４…把持部  １５…ガマ口用口金  １６…口金本体  １７…ヒンジ  １８…回動軸  １９…係着具 
【図１】
0003137900.tif 000003
【図２】
0003137900.tif 000004
【図３】
0003137900.tif 000005
【図４】
0003137900.tif 000006
【図５】
0003137900.tif 000007
【図６】
0003137900.tif 000008
【図７】
0003137900.tif 000009
【図８】
0003137900.tif 000010
【図９】
0003137900.tif 000011